(57)【要約】【課題】  高速で駆動される光ディスクから正確に動作制御信号を検出する。【解決手段】記録されたデータを示すＨＦ（高周波）信号ｄに応じて変動するＰＰ（プッシュプル）信号ｃのレベルを、スペース側及びマーク側のスライスレベルＳＬ１，ＳＬ２を基準値として比較して波形整形することにより、スペース側コンパレート信号ｈ及びマーク側コンパレート信号ｉが得られる。また、ＨＦ信号ｄのレベルに基づいてスペース側イネーブル信号ｅ及びマーク側イネーブル信号ｋが得られ、同ＨＦ信号ｄがスペース領域に対応する場合は同スペース側イネーブル信号ｅによりスペース側コンパレート信号ｈが選択され、同ＨＦ信号ｄがマーク領域に対応する場合はマーク側イネーブル信号ｋによりマーク側コンパレート信号ｉが選択される。このため、ＨＦ信号ｄの変動に起因したマーク側コンパレート信号ｉの誤検出が防止され、正確なＬＰＰ検出信号ｎが取得される。【選択図】図２
2005267808.tif 000002
【特許請求の範囲】
【請求項１】
光記録媒体上のマーク及びスペースに近接した領域に形成された情報を検出する光学式データ再生装置であって、
前記マーク及びスペースに対応して変化する第１の信号を生成し、前記情報に対応して変化する第２の信号を生成し、該第２の信号と基準値とを比較すると共に、前記第１の信号を参照して、前記マーク及びスペースに対応して前記基準値として異なる値を適用することにより、前記情報に対応する第３の信号を生成する情報検出部が設けられていることを特徴とする光学式データ再生装置。
【請求項２】
前記光記録媒体は、再生動作を制御するための動作制御情報が前記マーク及びスペースとは別の形態で記録面上に予め形成された光ディスクで構成され、
前記情報検出部は、
前記光ディスクの回転時に前記動作制御情報を読み取ることにより前記第２の信号として情報信号を生成し、前記マーク及びスペースを示す前記第１の信号に応じて変動する前記情報信号のレベルを前記スペース及びマークに対応した各基準値と比較することにより、スペース側情報信号又はマーク側情報信号を取得し、前記スペース側情報信号又はマーク側情報信号のいずれか一方を前記第１の信号のレベルに基づいて選択して前記第３の信号として動作制御信号を出力する構成とされていることを特徴とする請求項１記載の光学式データ再生装置。
【請求項３】
前記情報検出部は、
前記マーク及びスペースを示す前記第１の信号に応じて変動する前記情報信号のレベルを前記各基準値と比較して波形整形することにより前記スペース側情報信号及びマーク側情報信号を取得し、前記第１の信号のレベルに基づいて前記スペース側情報信号又はマーク側情報信号を選択するためのスペース側イネーブル信号及びマーク側イネーブル信号を取得し、前記第１の信号が前記スペースに対応する場合は前記スペース側イネーブル信号により前記スペース側情報信号を選択し、前記第１の信号が前記マークに対応する場合は前記マーク側イネーブル信号により前記マーク側情報信号を選択し、前記動作制御信号として出力する構成とされていることを特徴とする請求項２記載の光学式データ再生装置。
【請求項４】
前記光ディスクは、半径方向に螺旋状かつ所定の周期で蛇行するように形成され、前記マーク及びスペースを記録するための記録トラックを有し、
前記光ディスクからの反射光を前記記録トラックの垂直方向に２分割して受光して第１の受光信号及び第２の受光信号を出力する分割光センサを備え、
前記情報検出部は、
前記第１の受光信号と前記第２の受光信号との差分をとって前記蛇行の周期に対応した差信号を生成する差信号生成手段と、
前記第１の受光信号と前記第２の受光信号との和をとって前記マーク及びスペースに対応する和信号を生成する和信号生成手段と、
前記和信号のレベルを所定の基準値と比較することにより、前記和信号が前記マークに対応するか又は前記スペースに対応するかを判定して識別信号を生成する識別信号生成手段と、
前記差信号を第１のスライス信号を基準として２値化し、更に前記識別信号に基づいて前記スペースに対応したスペース側情報信号を抽出するスペース側情報信号抽出手段と、
前記差信号を前記第２のスライス信号を基準として２値化し、更に前記識別信号に基づいて前記マークに対応したマーク側情報信号を抽出するマーク側情報信号抽出手段と、
前記スペース側情報信号と前記マーク側情報信号との和をとることにより前記動作制御信号を出力する動作制御信号出力手段とが設けられていることを特徴とする請求項２又は３記載の光学式データ再生装置。
【請求項５】
前記動作制御情報は、
前記記録トラックから隣接方向にずれた位置に形成されたランドプリピットであり、
前記動作制御信号は、
前記ランドプリピットを検出することによって取得されるランドプリピット検出信号であることを特徴とする請求項４記載の光学式データ再生装置。
【請求項６】
光記録媒体上のマーク及びスペースに近接した領域に形成された情報を検出する光学式データ記録装置であって、
前記マーク及びスペースに対応して変化する第１の信号を生成し、前記情報に対応して変化する第２の信号を生成し、該第２の信号と基準値とを比較すると共に、前記第１の信号を参照して、前記マーク及びスペースに対応して前記基準値として異なる値を適用することにより、前記情報に対応する第３の信号を生成する情報検出部が設けられていることを特徴とする光学式データ記録装置。
【請求項７】
前記光記録媒体は、記録動作を制御するための動作制御情報が前記マーク及びスペースとは別の形態で記録面上に予め形成された光ディスクで構成され、
前記情報検出部は、
前記光ディスクの回転時に前記動作制御情報を読み取ることにより前記第２の信号として情報信号を生成し、前記マーク及びスペースを示す前記第１の信号に応じて変動する前記情報信号のレベルを前記スペース及びマークに対応した各基準値と比較することにより、スペース側情報信号又はマーク側情報信号を取得し、前記スペース側情報信号又はマーク側情報信号のいずれか一方を前記第１の信号のレベルに基づいて選択して前記第３の信号として動作制御信号を出力する構成とされていることを特徴とする請求項６記載の光学式データ記録装置。
【請求項８】
前記情報検出部は、
前記マーク及びスペースを示す前記第１の信号に応じて変動する前記情報信号のレベルを前記各基準値と比較して波形整形することにより前記スペース側情報信号及びマーク側情報信号を取得し、前記第１の信号のレベルに基づいて前記スペース側情報信号又はマーク側情報信号を選択するためのスペース側イネーブル信号及びマーク側イネーブル信号を取得し、前記第１の信号が前記スペースに対応する場合は前記スペース側イネーブル信号により前記スペース側情報信号を選択し、前記第１の信号が前記マークに対応する場合は前記マーク側イネーブル信号により前記マーク側情報信号を選択し、前記動作制御信号として出力する構成とされていることを特徴とする請求項７記載の光学式データ記録装置。
【請求項９】
前記光ディスクは、半径方向に螺旋状かつ所定の周期で蛇行するように形成され、前記マーク及びスペースを記録するための記録トラックを有し、
前記光ディスクからの反射光を前記記録トラックの垂直方向に２分割して受光して第１の受光信号及び第２の受光信号を出力する分割光センサを備え、
前記情報検出部は、
前記第１の受光信号と前記第２の受光信号との差分をとって前記蛇行の周期に対応した差信号を生成する差信号生成手段と、
前記第１の受光信号と前記第２の受光信号との和をとって前記マーク及びスペースに対応する和信号を生成する和信号生成手段と、
前記和信号のレベルを所定の基準値と比較することにより、前記和信号が前記マークに対応するか又は前記スペースに対応するかを判定して識別信号を生成する識別信号生成手段と、
前記差信号を第１のスライス信号を基準として２値化し、更に前記識別信号に基づいて前記スペースに対応したスペース側情報信号を抽出するスペース側情報信号抽出手段と、
前記差信号を前記第２のスライス信号を基準として２値化し、更に前記識別信号に基づいて前記マークに対応したマーク側情報信号を抽出するマーク側情報信号抽出手段と、
前記スペース側情報信号と前記マーク側情報信号との和をとることにより前記動作制御信号を出力する動作制御信号出力手段とが設けられていることを特徴とする請求項７又は８記載の光学式データ記録装置。
【請求項１０】
前記動作制御情報は、
前記記録トラックから隣接方向にずれた位置に形成されたランドプリピットであり、
前記動作制御信号は、
前記ランドプリピットを検出することによって取得されるランドプリピット検出信号であることを特徴とする請求項９記載の光学式データ記録装置。
【請求項１１】
光記録媒体上のマーク及びスペースに近接した領域に形成された情報を検出する光学式データ再生装置に用いられ、
前記マーク及びスペースに対応して変化する第１の信号を生成し、前記情報に対応して変化する第２の信号を生成し、該第２の信号と基準値とを比較すると共に、前記第１の信号を参照して、前記マーク及び前記スペースに対応して前記基準値として異なる値を適用することにより、前記情報に対応する第３の信号を生成することを特徴とする情報検出方法。
【請求項１２】
光記録媒体上のマーク及びスペースに近接した領域に形成された情報を検出する光学式データ記録装置に用いられ、
前記マーク及びスペースに対応して変化する第１の信号を生成し、前記情報に対応して変化する第２の信号を生成し、該第２の信号と基準値とを比較すると共に、前記第１の信号を参照して、前記マーク及び前記スペースに対応して前記基準値として異なる値を適用することにより、前記情報に対応する第３の信号を生成することを特徴とする情報検出方法。
【請求項１３】
請求項１記載の光学式データ再生装置に用いられる情報検出回路であって、
光記録媒体上に記録されたマーク及びスペースに対応して変化する第１の信号を生成する第１の回路と、
前記光記録媒体上の前記マーク及びスペースに近接した領域に記録された情報に対応して変化する第２の信号を生成する第２の回路と、
前記第２の信号と基準値とを比較すると共に、前記第１の信号を参照して、前記マーク及びスペースに対応して前記基準値として異なる値を適用することにより、前記情報に対応する第３の信号を生成する第３の回路とを含むことを特徴とする情報検出回路。
【請求項１４】
請求項６記載の光学式データ記録装置に用いられる情報検出回路であって、
光記録媒体上に記録されたマーク及びスペースに対応して変化する第１の信号を生成する第１の回路と、
前記光記録媒体上の前記マーク及びスペースに近接した領域に記録された情報に対応して変化する第２の信号を生成する第２の回路と、
前記第２の信号と基準値とを比較すると共に、前記第１の信号を参照して、前記マーク及びスペースに対応して前記基準値として異なる値を適用することにより、前記情報に対応する第３の信号を生成する第３の回路とを含むことを特徴とする情報検出回路。
【発明の詳細な説明】
【技術分野】
【０００１】
この発明は、光学式データ再生装置、光学式データ記録装置、該再生装置又は記録装置に用いられる情報検出方法及び情報検出回路に係り、たとえば高速ダビングのように、光ディスクなどの光記録媒体に対して高速でデータの書込み又は読出しを行う場合などに用いて好適な光学式データ再生装置、光学式データ記録装置、該再生装置又は記録装置に用いられる情報検出方法及び情報検出回路に関する。
【背景技術】
【０００２】
光ディスクなどの光記録媒体は、安価で大容量のデータが記録でき、かつ保存性にも優れているが、近年ではＲＯＭディスク（再生専用）との互換性が重視され、たとえばＣＤ−Ｒ（追記型のＣＤ）やＤＶＤ−ＲＷ（書き換え可能なＤＶＤ）が記録用として使われることが多くなっている。これらの記録用の光ディスクでは、ＲＯＭディスクと同様のデータパターンが記録できることが重視されるため、記録トラック上では、記録データに対応したデータ信号と同様の再生信号が発生する、いわゆるプリピットによるアドレス情報や動作制御情報は形成されていない。その代わりに、たとえばＣＤ−ＲやＣＤ＋ＲＷでは、記録トラック案内溝（Groove、グルーブ）を蛇行させ、この蛇行の検出信号の周波数や位相を変調する方法で動作制御信号を生成する方法が用いられている。また、たとえばＤＶＤ−ＲやＤＶＤ−ＲＷでは、図６に示すように、記録トラック案内溝から隣接方向にずれた位置（Ｌａｎｄ）にランドプリピット（Land Pre-pit、ＬＰＰ）を形成し、同ＬＰＰの検出信号から動作制御信号を生成する方法が用いられている。
【０００３】
記録トラック案内溝の蛇行やＬＰＰなどによって形成された動作制御情報は、読出し回路により読み出され、データ信号（明暗変化信号）とは別のトラックエラー信号、より詳しくは、反射光ビームのファーフィールドにおけるトラック中心軸に対する左右の光量アンバランスを示す情報信号（プッシュプル信号、ＰＰ信号）として検出される。この後、データの記録又は再生のためにディスクの回転状態の検出やアドレス情報の検出が行われ、また、クロック信号の抽出や同データの記録又は再生のための動作制御信号が取得される。たとえば、ＤＶＤ−ＲやＤＶＤ−ＲＷでは、記録トラック案内溝の蛇行によるウォブル（WOBBLE）と共にＬＰＰが形成されて動作制御情報となっており、同ウォブルからディスクの回転状態やクロック信号が検出されると共に、同ＬＰＰからアドレス情報が生成され、動作制御信号となる。
【０００４】
ウォブルやＬＰＰなどの動作制御情報は、記録データとは別形態で形成されてはいるが、同動作制御情報を読み取ることにより生成される情報信号のレベルは、同記録データによる光ディスク上の光の反射率の変化の影響を避けることはできない。すなわち、記録データが記録された領域で検出された情報信号（ＰＰ信号）のレベルは、同記録データの影響を受けて変動する。この場合、記録データを検出して得られたＨＦ（High Frequency）信号のレベルの低下に応じてＬＰＰ検出信号のレベルが著しく低下することがあり、アドレス情報の取得が困難になる。このため、記録データの記録済み領域におけるＰＰ信号に対して、ＨＦ信号のレベルの変動の影響を補正する光ディスク記録再生装置が提案されている。
【０００５】
この種の光ディスク記録再生装置は、従来では、たとえば図７に示すように、光ディスク１と、スピンドルモータ２と、ピックアップ３と、ランドプリピット検出部４と、ウォブル検出部５と、スピンドルサーボ６と、ウォブルＰＬＬ（Phase Locked Loop ）回路７と、誤差増幅器８とから構成されている。光ディスク１は、たとえばＤＶＤ−ＲやＤＶＤ−ＲＷなどで構成され、スピンドルモータ２は、周速度が一定となるように設定される速度で同光ディスク１を回転させる。ピックアップ３は、光ディスク１の記録データ及び動作制御情報を読み取る。ランドプリピット検出部４は、読み取られた動作制御情報からＬＰＰを検出してＬＰＰ検出信号ｒを生成し、ウォブル検出部５は、同動作制御情報からウォブルを検出してウォブル検出信号ｗを生成する。スピンドルサーボ６は、ウォブル検出信号ｗに基づいてスピンドルモータ２の回転速度を制御する。ウォブルＰＬＬ回路７は、ウォブル検出信号ｗの周波数を安定させ、安定化ウォブル検出信号ａｗを生成する。誤差増幅器８は、ＬＰＰ検出信号ｒの安定化ウォブル検出信号ａｗに対する誤差を増幅して基準クロックｃｋを出力する。
【０００６】
図８は、図７中のピックアップ３及びランドプリピット検出部４の電気的構成を示すブロック図である。
このピックアップ３は、同図８に示すように、２分割センサ１１で構成され、ランドプリピット検出部４は、加算器１２と、減算器１３と、ＶＣＡ（Voltage Controlled Amplifier、電圧制御増幅器）１４と、スライスレベル設定部１５と、コンパレータ１６とから構成されている。
【０００７】
このピックアップ３では、光ディスク１の再生時の反射光ビームが、トラック軸方向に対して左右に位置する２分割センサ１１で受光され、同２分割センサ１１のエレメント１１ａ，１１ｂから受光信号ａ，ｂがそれぞれ出力される。ランドプリピット検出部４では、受光信号ａ，ｂは加算器１２で和が演算され、同加算器１２からＨＦ信号ｄが出力される。また、受光信号ａ，ｂは減算器１３で差分が演算され、同減算器１３からＰＰ信号ｃが出力される。ＰＰ信号ｃは、ＶＣＡ１４でＨＦ信号ｄのレベルに応じて増幅され、同ＨＦ信号ｄのレベルの変動の影響が補正された補正ＰＰ信号ｐが出力される。また、スライスレベル設定部１５によりスライスレベル信号ｑが設定され、補正ＰＰ信号ｐはコンパレータ１６で同スライスレベル信号ｑと比較され、同コンパレータ１６からＬＰＰ検出信号ｒが出力される。
【０００８】
上記の光ディスク記録再生装置の他、従来、この種の技術としては、たとえば、次のような文献に記載されるものがあった。
特許文献１に記載された光ディスク記録再生装置では、記録済み領域における２分割センサの両出力信号からＰＰ信号が生成され、ＰＰ信号読取りゲイン調整部で同ＰＰ信号の読取りゲインがＨＦ信号に基づいて最適化されることにより、同記録済み領域におけるＰＰ信号の変動が補正される。
【特許文献１】特開２００３−５９０５４号公報（要約書、図１）
【発明の開示】
【発明が解決しようとする課題】
【０００９】
しかしながら、上記従来の光ディスク記録再生装置では、次のような問題点があった。  すなわち、ＰＰ信号ｃのレベルは、ＶＣＡ１４によりＨＦ信号ｄのレベルの変動の影響が補正されるが、近年では、たとえば高速ダビング（たとえば、１６倍速、２４倍速など）のように、高速化された再生又は記録スピードが設定されることがあるため、同ＶＣＡ１４の動作も高速化する必要がある。たとえば、ＤＶＤ−ＲやＤＶＤ＋Ｒが１６倍速で駆動されるとき、ＶＣＡ１４は、少なくとも１００ＭＨｚ程度まで平坦な周波数特性が必要となる。ところが、このような高帯域のＶＣＡを実現することは困難であり、また、実現しても、高速動作のための消費電力が大きいという問題点がある。
【００１０】
また、特許文献１に記載された光ディスク記録再生装置では、ＰＰ信号読取りゲイン調整部がＶＣＡとほぼ同様の構成とされているため、上記と同様の問題点がある。
【課題を解決するための手段】
【００１１】
上記課題を解決するために、請求項１記載の発明は、光記録媒体上のマーク及びスペースに近接した領域に形成された情報を検出する光学式データ再生装置に係り、前記マーク及びスペースに対応して変化する第１の信号を生成し、前記情報に対応して変化する第２の信号を生成し、該第２の信号と基準値とを比較すると共に、前記第１の信号を参照して、前記マーク及びスペースに対応して前記基準値として異なる値を適用することにより、前記情報に対応する第３の信号を生成する情報検出部が設けられていることを特徴としている。
【００１２】
請求項２記載の発明は、請求項１記載の光学式データ再生装置に係り、前記光記録媒体は、再生動作を制御するための動作制御情報が前記マーク及びスペースとは別の形態で記録面上に予め形成された光ディスクで構成され、前記情報検出部は、前記光ディスクの回転時に前記動作制御情報を読み取ることにより前記第２の信号として情報信号を生成し、前記マーク及びスペースを示す前記第１の信号に応じて変動する前記情報信号のレベルを前記スペース及びマークに対応した各基準値と比較することにより、スペース側情報信号又はマーク側情報信号を取得し、前記スペース側情報信号又はマーク側情報信号のいずれか一方を前記第１の信号のレベルに基づいて選択して前記第３の信号として動作制御信号を出力する構成とされていることを特徴としている。
【００１３】
請求項３記載の発明は、請求項２記載の光学式データ再生装置に係り、前記情報検出部は、前記マーク及びスペースを示す前記第１の信号に応じて変動する前記情報信号のレベルを前記各基準値と比較して波形整形することにより前記スペース側情報信号及びマーク側情報信号を取得し、前記第１の信号のレベルに基づいて前記スペース側情報信号又はマーク側情報信号を選択するためのスペース側イネーブル信号及びマーク側イネーブル信号を取得し、前記第１の信号が前記スペースに対応する場合は前記スペース側イネーブル信号により前記スペース側情報信号を選択し、前記第１の信号が前記マークに対応する場合は前記マーク側イネーブル信号により前記マーク側情報信号を選択し、前記動作制御信号として出力する構成とされていることを特徴としている。
【００１４】
請求項４記載の発明は、請求項２又は３記載の光学式データ再生装置に係り、前記光ディスクは、半径方向に螺旋状かつ所定の周期で蛇行するように形成され、前記マーク及びスペースを記録するための記録トラックを有し、前記光ディスクからの反射光を前記記録トラックの垂直方向に２分割して受光して第１の受光信号及び第２の受光信号を出力する分割光センサを備え、前記情報検出部は、前記第１の受光信号と前記第２の受光信号との差分をとって前記蛇行の周期に対応した差信号を生成する差信号生成手段と、前記第１の受光信号と前記第２の受光信号との和をとって前記マーク及びスペースに対応する和信号を生成する和信号生成手段と、前記和信号のレベルを所定の基準値と比較することにより、前記和信号が前記マークに対応するか又は前記スペースに対応するかを判定して識別信号を生成する識別信号生成手段と、前記差信号を第１のスライス信号を基準として２値化し、更に前記識別信号に基づいて前記スペースに対応したスペース側情報信号を抽出するスペース側情報信号抽出手段と、前記差信号を前記第２のスライス信号を基準として２値化し、更に前記識別信号に基づいて前記マークに対応したマーク側情報信号を抽出するマーク側情報信号抽出手段と、前記スペース側情報信号と前記マーク側情報信号との和をとることにより前記動作制御信号を出力する動作制御信号出力手段とが設けられていることを特徴としている。
【００１５】
請求項５記載の発明は、請求項４記載の光学式データ再生装置に係り、前記動作制御情報は、前記記録トラックから隣接方向にずれた位置に形成されたランドプリピットであり、前記動作制御信号は、前記ランドプリピットを検出することによって取得されるランドプリピット検出信号であることを特徴としている。
【００１６】
請求項６記載の発明は、光記録媒体上のマーク及びスペースに近接した領域に形成された情報を検出する光学式データ記録装置に係り、前記マーク及びスペースに対応して変化する第１の信号を生成し、前記情報に対応して変化する第２の信号を生成し、該第２の信号と基準値とを比較すると共に、前記第１の信号を参照して、前記マーク及びスペースに対応して前記基準値として異なる値を適用することにより、前記情報に対応する第３の信号を生成する情報検出部が設けられていることを特徴としている。
【００１７】
請求項７記載の発明は、請求項６記載の光学式データ記録装置に係り、前記光記録媒体は、記録動作を制御するための動作制御情報が前記マーク及びスペースとは別の形態で記録面上に予め形成された光ディスクで構成され、前記情報検出部は、前記光ディスクの回転時に前記動作制御情報を読み取ることにより前記第２の信号として情報信号を生成し、前記マーク及びスペースを示す前記第１の信号に応じて変動する前記情報信号のレベルを前記スペース及びマークに対応した各基準値と比較することにより、スペース側情報信号又はマーク側情報信号を取得し、前記スペース側情報信号又はマーク側情報信号のいずれか一方を前記第１の信号のレベルに基づいて選択して前記第３の信号として動作制御信号を出力する構成とされていることを特徴としている。
【００１８】
請求項８記載の発明は、請求項７記載の光学式データ記録装置に係り、前記情報検出部は、前記マーク及びスペースを示す前記第１の信号に応じて変動する前記情報信号のレベルを前記各基準値と比較して波形整形することにより前記スペース側情報信号及びマーク側情報信号を取得し、前記第１の信号のレベルに基づいて前記スペース側情報信号又はマーク側情報信号を選択するためのスペース側イネーブル信号及びマーク側イネーブル信号を取得し、前記第１の信号が前記スペースに対応する場合は前記スペース側イネーブル信号により前記スペース側情報信号を選択し、前記第１の信号が前記マークに対応する場合は前記マーク側イネーブル信号により前記マーク側情報信号を選択し、前記動作制御信号として出力する構成とされていることを特徴としている。
【００１９】
請求項９記載の発明は、請求項７又は８記載の光学式データ記録装置に係り、前記光ディスクは、半径方向に螺旋状かつ所定の周期で蛇行するように形成され、前記マーク及びスペースを記録するための記録トラックを有し、前記光ディスクからの反射光を前記記録トラックの垂直方向に２分割して受光して第１の受光信号及び第２の受光信号を出力する分割光センサを備え、前記情報検出部は、前記第１の受光信号と前記第２の受光信号との差分をとって前記蛇行の周期に対応した差信号を生成する差信号生成手段と、前記第１の受光信号と前記第２の受光信号との和をとって前記マーク及びスペースに対応する和信号を生成する和信号生成手段と、前記和信号のレベルを所定の基準値と比較することにより、前記和信号が前記マークに対応するか又は前記スペースに対応するかを判定して識別信号を生成する識別信号生成手段と、前記差信号を第１のスライス信号を基準として２値化し、更に前記識別信号に基づいて前記スペースに対応したスペース側情報信号を抽出するスペース側情報信号抽出手段と、前記差信号を前記第２のスライス信号を基準として２値化し、更に前記識別信号に基づいて前記マークに対応したマーク側情報信号を抽出するマーク側情報信号抽出手段と、前記スペース側情報信号と前記マーク側情報信号との和をとることにより前記動作制御信号を出力する動作制御信号出力手段とが設けられていることを特徴としている。
【００２０】
請求項１０記載の発明は、請求項９記載の光学式データ記録装置に係り、前記動作制御情報は、前記記録トラックから隣接方向にずれた位置に形成されたランドプリピットであり、前記動作制御信号は、前記ランドプリピットを検出することによって取得されるランドプリピット検出信号であることを特徴としている。
【００２１】
請求項１１記載の発明は、情報検出方法に係り、光記録媒体上のマーク及びスペースに近接した領域に形成された情報を検出する光学式データ再生装置に用いられ、前記マーク及びスペースに対応して変化する第１の信号を生成し、前記情報に対応して変化する第２の信号を生成し、該第２の信号と基準値とを比較すると共に、前記第１の信号を参照して、前記マーク及び前記スペースに対応して前記基準値として異なる値を適用することにより、前記情報に対応する第３の信号を生成することを特徴としている。
【００２２】
請求項１２記載の発明は、情報検出方法に係り、光記録媒体上のマーク及びスペースに近接した領域に形成された情報を検出する光学式データ記録装置に用いられ、前記マーク及びスペースに対応して変化する第１の信号を生成し、前記情報に対応して変化する第２の信号を生成し、該第２の信号と基準値とを比較すると共に、前記第１の信号を参照して、前記マーク及び前記スペースに対応して前記基準値として異なる値を適用することにより、前記情報に対応する第３の信号を生成することを特徴としている。
【００２３】
請求項１３記載の発明は、請求項１記載の光学式データ再生装置に用いられる情報検出回路に係り、光記録媒体上に記録されたマーク及びスペースに対応して変化する第１の信号を生成する第１の回路と、前記光記録媒体上の前記マーク及びスペースに近接した領域に記録された情報に対応して変化する第２の信号を生成する第２の回路と、前記第２の信号と基準値とを比較すると共に、前記第１の信号を参照して、前記マーク及びスペースに対応して前記基準値として異なる値を適用することにより、前記情報に対応する第３の信号を生成する第３の回路とを含むことを特徴としている。
【００２４】
請求項１４記載の発明は、請求項６記載の光学式データ記録装置に用いられる情報検出回路に係り、光記録媒体上に記録されたマーク及びスペースに対応して変化する第１の信号を生成する第１の回路と、前記光記録媒体上の前記マーク及びスペースに近接した領域に記録された情報に対応して変化する第２の信号を生成する第２の回路と、前記第２の信号と基準値とを比較すると共に、前記第１の信号を参照して、前記マーク及びスペースに対応して前記基準値として異なる値を適用することにより、前記情報に対応する第３の信号を生成する第３の回路とを含むことを特徴としている。
【発明の効果】
【００２５】
この発明の構成によれば、光記録媒体上のマーク及びスペースに対応して変化する第１の信号を生成し、同マーク及びスペースに近接した領域に形成された情報に対応して変化する第２の信号を生成し、同第２の信号と基準値とを比較すると共に、同第１の信号を参照して、同マーク及び同スペースに対応して同基準値として異なる値を適用することにより、同情報に対応する第３の信号を生成する情報検出部が設けられているので、同第１の信号の変動に起因した同第２の信号の誤検出が防止され、同第３の信号が正確に取得される光学式データ再生装置を提供できる。また、光学式データ記録装置についても、同様の効果が得られる。
【発明を実施するための最良の形態】
【００２６】
光ディスクの回転時にウォブルやＬＰＰを読み取ることにより情報信号を生成し、記録データを示すデータ信号に応じて変動する同情報信号のレベルをスペース及びマークに対応した各基準値と比較することにより、スペース側情報信号又はマーク側情報信号を取得し、同スペース側情報信号又はマーク側情報信号のいずれか一方を同データ信号のレベルに基づいて選択して動作制御信号を生成し、同動作制御信号に基づいて記録データの再生を行う光学式データ再生装置、及び同動作制御信号に基づいて記録データの記録を行う光学式データ記録装置を提供する。
【実施例１】
【００２７】
図１は、この発明の第１の実施例である光学式データ再生装置の要部の電気的構成を示すブロック図である。
この例の光学式データ再生装置は、同図に示すように、光ディスク再生装置であり、光ディスク２１と、スピンドルモータ２２と、ピックアップ２３と、ランドプリピット検出部２４と、ウォブル検出部２５と、スピンドルサーボ２６と、ウォブルＰＬＬ回路２７と、誤差増幅器２８とから構成されている。
【００２８】
光ディスク２１は、たとえばＤＶＤ−ＲやＤＶＤ−ＲＷなどで構成され、記録データ（マーク及びスペース）を記録するための記録トラックを有している。記録トラックは、半径方向に螺旋状かつ所定の周期で蛇行するように形成されている。また、光ディスク２１には、再生動作を制御するためのＬＰＰが上記マーク及びスペースに近接した領域に形成されている。これらの蛇行及びＬＰＰは、上記マーク及びスペースとは別の形態で記録面上に予め形成されている動作制御情報である。スピンドルモータ２２は、周速度が一定となるように設定される速度で同光ディスク２１を回転させる。ピックアップ２３は、光ディスク２１の記録データ及び動作制御情報を読み取る。
【００２９】
ランドプリピット検出部２４は、読み取られた動作制御情報からＬＰＰを検出して動作制御信号（ＬＰＰ検出信号ｎ）を取得する。特に、この実施例では、ランドプリピット検出部２４は、光ディスク２１の回転時に動作制御情報を読み取ることにより情報信号（第２の信号）を生成し、記録データを示すデータ信号（第１の信号）に応じて変動する同情報信号のレベルをスペース及びマークに対応した各基準値と比較することにより、スペース側情報信号又はマーク側情報信号を取得し、同スペース側情報信号又はマーク側情報信号のいずれか一方を同データ信号のレベルに基づいて選択してＬＰＰ検出信号ｎ（第３の信号）として出力する。
【００３０】
ウォブル検出部２５は、動作制御情報からウォブルを検出してウォブル検出信号ｗを生成する。スピンドルサーボ２６は、ウォブル検出信号ｗに基づいてスピンドルモータ２の回転速度を制御する。ウォブルＰＬＬ回路２７は、ウォブル検出信号ｗの周波数を安定させ、安定化ウォブル検出信号ａｗを生成する。誤差増幅器２８は、ＬＰＰ検出信号ｐの安定化ウォブル検出信号ａｗに対する誤差を増幅して基準クロックｃｋを出力する。
【００３１】
図２は、図１中のピックアップ２３及びランドプリピット検出部２４の電気的構成を示すブロック図である。
このピックアップ２３は、同図２に示すように、２分割センサ３１で構成され、ランドプリピット検出部２４は、加算器３２と、減算器３３と、２値化器３４と、スペース側コンパレータ３５と、マーク側コンパレータ３６と、スライスレベル設定部３７と、ＡＮＤ回路３８と、反転回路３９と、ＡＮＤ回路４０と、ＯＲ回路４１とから構成されている。２分割センサ３１は、光ディスク２１からの反射光を記録トラックの垂直方向に２分割して受光してエレメント３１ａ，３１ｂから受光信号ａ及び受光信号ｂをそれぞれ出力する。加算器３２は、受光信号ａと受光信号ｂとの和をとって記録データに対応する和信号（ＨＦ信号ｄ）を生成する。減算器３３は、受光信号ａと受光信号ｂとの差分をとって光ディスク２１の記録トラックの蛇行の周期に対応した差信号（ＰＰ信号ｃ）を生成する。
【００３２】
２値化器３４は、ＨＦ信号ｄのレベルを所定の基準値ＳＬ３と比較することにより、ＨＦ信号ｄがマークに対応するか又はスペースに対応するかを判定し、スペースに対応する識別信号（スペース側イネーブル信号ｅ）を生成する。スライスレベル設定部３７は、たとえば基準電圧源などで構成され、スペースに対応した基準値ＳＬ１に設定されたスペース側スライス信号ｆ、及びマークに対応した基準値ＳＬ２に設定されたマーク側スライス信号ｇを出力する。スペース側コンパレータ３５は、ＰＰ信号ｃを第１のスライス信号（スペース側スライス信号ｆ）を基準として波形整形（２値化）してスペース側コンパレート信号ｈを出力する。ＡＮＤ回路３８は、スペース側コンパレート信号ｈとスペース側イネーブル信号ｅとの論理積をとり、スペースに対応したスペース側情報信号（スペース側ＬＰＰ信号ｊ）を抽出する。
【００３３】
マーク側コンパレータ３６は、ＰＰ信号ｃを第２のスライス信号（マーク側スライス信号ｇ）を基準として波形整形（２値化）してマーク側コンパレート信号ｉを出力する。反転回路３９は、スペース側イネーブル信号ｅを反転してマーク側イネーブル信号ｋを出力する。ＡＮＤ回路４０は、マーク側コンパレート信号ｉとマーク側イネーブル信号ｋとの論理積をとり、マーク側に対応したマーク側情報信号（マーク側ＬＰＰ信号ｍ）を抽出する。ＯＲ回路４１は、スペース側ＬＰＰ信号ｊとマーク側ＬＰＰ信号ｍとの論理和をとることによりＬＰＰ検出信号ｎを出力する。また、このランドプリピット検出部２４は、１チップのＬＳＩ（大規模集積回路）内に構成されている。
【００３４】
図３は、図２中のランドプリピット検出部２４の動作を説明するための各部の信号のタイムチャートであり、縦軸に電圧レベル又は論理レベル、及び横軸に時間がとられている。
この図を参照して、この例の光ディスク再生装置に用いられる情報検出方法について説明する。
なお、図３中の時刻Ａ，Ｂ，Ｃ，Ｄにおいて、ランドプリピットは、時刻Ａ，Ｃで検出され、時刻Ｂ，Ｄでは検出されないものとする。この光ディスク再生装置では、光ディスク２１の回転時に動作制御情報（ＬＰＰ）を示す動作制御信号（ＬＰＰ検出信号ｎ）が検出される。
【００３５】
すなわち、光ディスク２１の再生時の反射光ビームが、記録トラックの軸方向に対して左右に位置する２分割センサ３１で受光され、同２分割センサ３１のエレメント３１ａ，３１ｂから受光信号ａ，ｂがそれぞれ出力される。受光信号ａ，ｂは加算器３２で和が演算され、同加算器３２からＨＦ信号ｄが出力される。また、受光信号ａ，ｂは減算器３３で差が演算され、同減算器３３からＰＰ信号ｃが出力される。
【００３６】
ＨＦ信号ｄは２値化器３４に入力され、ＰＰ信号ｃがスペース側コンパレータ３５及びマーク側コンパレータ３６に入力される。この場合、図３（ａ）に示すように、ＰＰ信号ｃ（太線）には、未記録領域でのＰＰ信号ｃ（細線）に比較して、図３（ｂ）に示すＨＦ信号ｄの影響による変動が現れる。たとえば、時刻Ｃでは、ＨＦ信号ｄはスペース領域に対応し、光ディスク２１の記録面からの反射光量の低下がないため、ＰＰ信号ｃのレベルは変化しないが、時刻Ａでは、ＨＦ信号ｄはマーク領域に対応し、同反射光量が低下するため、同ＰＰ信号ｃのレベルが低下している。
【００３７】
また、スライスレベル設定部３７により、スペース側コンパレータ３５にスペース側スライス信号ｆが設定され、マーク側コンパレータ３６にマーク側スライス信号ｇが設定される。スペース側スライス信号ｆのスライスレベルは、図３（ａ）に示す基準値ＳＬ１であり、マーク側スライス信号ｇのスライスレベルは、基準値ＳＬ２である。ＨＦ信号ｄは、２値化器３４で図３（ｂ）に示すスライスレベルＳＬ３を基準として２値化され、同２値化器３４から、図３（ｃ）に示すスペース側イネーブル信号ｅが出力される。ここで、スペース側イネーブル信号ｅは、ＨＦ信号ｄがスペース領域に対応する場合、高レベルである。更に、スペース側イネーブル信号ｅは反転回路３９で論理レベルが反転され、同反転回路３９から図３（ｆ）に示すマーク側イネーブル信号ｋが出力される。
【００３８】
また、ＰＰ信号ｃは、スペース側コンパレータ３５でスペース側スライス信号ｆのスライスレベルＳＬ１を基準として比較され、同スペース側コンパレータ３５から図３（ｄ）に示すスペース側コンパレート信号ｈが出力される。スペース側コンパレート信号ｈ及びスペース側イネーブル信号ｅがＡＮＤ回路３８に入力されて論理積がとられ、同ＡＮＤ回路３８から図３（ｅ）に示すスペース側ＬＰＰ信号ｊが出力される。
【００３９】
一方、ＰＰ信号ｃは、マーク側コンパレータ３６でマーク側スライス信号ｇのスライスレベルＳＬ２を基準として比較され、同マーク側コンパレータ３６から図３（ｇ）に示すマーク側コンパレート信号ｉが出力される。マーク側コンパレート信号ｉ及びマーク側イネーブル信号ｋがＡＮＤ回路４０に入力されて論理積がとられ、同ＡＮＤ回路４０から図３（ｈ）に示すマーク側ＬＰＰ信号ｍが出力される。このマーク側ＬＰＰ信号ｍは、図３（ｇ）に示すマーク側コンパレート信号ｉに見られる誤ったＬＰＰパルス（図中斜線部）が除去されたものである。スペース側ＬＰＰ信号ｊ及びマーク側ＬＰＰ信号ｍがＯＲ回路４１に入力されて論理和がとられ、同ＯＲ回路４１から図３（ｉ）に示すＬＰＰ検出信号ｎが出力される。そして、ＬＰＰ検出信号ｎに基づいて記録データの再生が行われる。
【００４０】
以上のように、この第１の実施例では、記録されたデータを示すＨＦ信号ｄに応じて変動するＰＰ信号ｃのレベルを、スペース側及びマーク側のスライスレベルＳＬ１，ＳＬ２を基準値として比較して波形整形することにより、スペース側コンパレート信号ｈ及びマーク側コンパレート信号ｉが得られ、また、同ＨＦ信号ｄのレベルに基づいてスペース側イネーブル信号ｅ及びマーク側イネーブル信号ｋが得られ、同ＨＦ信号ｄがスペース領域に対応する場合は同スペース側イネーブル信号ｅによりスペース側コンパレート信号ｈを選択し、同ＨＦ信号ｄがマーク領域に対応する場合はマーク側イネーブル信号ｋによりマーク側コンパレート信号ｉを選択するようにしたので、同ＨＦ信号ｄの変動に起因したマーク側コンパレート信号ｉの誤検出が防止され、正確なＬＰＰ検出信号ｎが取得される。また、ランドプリピット検出部２４は、コンパレータや論理回路などで構成されているので、高速動作が低消費電力で行われる。
【実施例２】
【００４１】
図４は、この発明の第２の実施例である光学式データ記録装置の要部の電気的構成を示すブロック図であり、第１の実施例を示す図１中の要素と共通の要素には共通の符号が付されている。
この例の光学式データ記録装置は、同図４に示すように、光ディスク記録装置であり、図１中のピックアップ２３に代えて、異なる構成のピックアップ２３Ａが設けられ、また、ゲイン調整部２９が設けられている。ピックアップ２３Ａは、ピックアップ２３の機能に加え、光電変換ゲインがゲイン調整部２９により調整される構成になっている。ゲイン調整部２９は、データの記録時、図２中の受光信号ａ，ｂと光ディスク２１からの反射光の光量とが線形性を保つように、ピックアップ２３Ａの光電変換ゲインを調整する。他は、図１と同様の構成である。
【００４２】
この例の光ディスク記録装置に用いられる情報検出方法では、データの記録時、記録データに対応したマークとスペースを形成するために、光ディスク２１の記録面上に照射されるレーザビームの強度を変化させるので、同記録面からの反射光の光量も変化する。このため、光ディスク２１からの反射光の光量に対して線形性を保った受光信号ａ，ｂが得られるように、ゲイン調整部２９によりピックアップ２３Ａの光電変換ゲインが調整される。
【００４３】
また、マークを形成するために照射されるレーザビームの強度は、スペースを形成するレーザビームの強度に比べて大きいため、マーク形成時の反射光ビームの反射光量は、スぺース形成時の反射光ビームの反射光量に比べて大きい。このため、記録時における加算器３２から出力されるＨＦ信号ｄのレベルは、スペースの形成時に比べてマーク形成時に高くなり、図５（ｂ）に示すように、図３（ｂ）に示す再生時の波形とは逆位相で変化する。
【００４４】
また、図２中の２値化器３４から出力されるスペース側イネーブル信号ｅは、マーク形成時に対応し、反転回路３９から出力されるマーク側イネーブル信号ｋは、スペース形成時に対応する。従って、図５（ｃ）に示すスペース側イネーブル信号ｅは、図３（ｆ）に示すマーク側イネーブル信号ｋと同一波形、図５（ｄ）に示すスペース側コンパレート信号ｈは、図３（ｇ）に示すマーク側コンパレート信号ｉと同一波形、及び、図５（ｅ）に示すスペース側ＬＰＰ信号ｊは、図３（ｈ）に示すマーク側ＬＰＰ信号ｍと同一波形となる。また、図５（ｆ）に示すマーク側イネーブル信号ｋは、図３（ｃ）に示すスペース側イネーブル信号ｅと同一波形、図５（ｇ）に示すマーク側コンパレート信号ｉは、図３（ｄ）に示すスペース側コンパレート信号ｈと同一波形、及び、図５（ｈ）に示すマーク側ＬＰＰ信号ｍは、図３（ｅ）に示すスペース側ＬＰＰ信号ｊと同一波形となる。そして、第１の実施例と同様に、光ディスク２１の回転時に動作制御情報（ＬＰＰ）を示す動作制御信号（ＬＰＰ検出信号ｎ）が検出される。そして、ＬＰＰ検出信号ｎに基づいてデータの記録が行われる。
【００４５】
以上のように、この第２の実施例では、光ディスク記録装置についても、第１の実施例と同様の利点がある。
【００４６】
以上、この発明の実施例を図面により詳述してきたが、具体的な構成はこの実施例に限られるものではなく、この発明の要旨を逸脱しない範囲の設計の変更などがあっても、この発明に含まれる。
たとえば、図１に示す光ディスク再生装置及び図４に示す光ディスク記録装置の構成は、ランドプリピット検出部２４に対応するものがあれば、他の構成でも良い。また、図２のランドプリピット検出部２４では、スペース側コンパレータ３５及びマーク側コンパレータ３６の２つのコンパレータが設けられているが、１つのコンパレータを用い、スペース及びマークに対応して基準値が動的に変化する構成にしても良い。ただし、この場合、スペースからマークへの遷移、及びマークからスペースへの遷移に対して、基準値の変化に時間遅れがないことが前提となる。
【産業上の利用可能性】
【００４７】
この発明の光学式データ再生装置又は光学式データ記録装置は、記録動作又は再生動作を制御するための動作制御情報がマーク及びスペースとは別の形態で記録面上に予め形成された光記録媒体全般の記録及び再生に適用できる。
【図面の簡単な説明】
【００４８】
【図１】この発明の第１の実施例である光学式データ再生装置の要部の電気的構成を示すブロック図である。
【図２】図１中のピックアップ２３及びランドプリピット検出部２４の電気的構成を示すブロック図である。
【図３】図２のランドプリピット検出部２４の動作を説明するための各部の信号のタイムチャートである。
【図４】この発明の第２の実施例である光学式データ記録装置の要部の電気的構成を示すブロック図である。
【図５】図２のランドプリピット検出部２４の動作を説明するための各部の信号のタイムチャートである。
【図６】光ディスクの構造を示す図である。
【図７】従来の光ディスク記録再生装置の要部の電気的構成を示すブロック図である。
【図８】図７中のピックアップ３及びランドプリピット検出部４の電気的構成を示すブロック図である。
【符号の説明】
【００４９】
２１      光ディスク（光記録媒体）
２２      スピンドルモータ（光学式データ再生装置又は光学式データ記録装置の一部）
２３      ピックアップ（光学式データ再生装置又は光学式データ記録装置の一部）
２４      ランドプリピット検出部（情報検出部、情報検出回路）
２５      ウォブル検出部（光学式データ再生装置又は光学式データ記録装置の一部）
２６      スピンドルサーボ（光学式データ再生装置又は光学式データ記録装置の一部）
２７      ウォブルＰＬＬ回路（光学式データ再生装置又は光学式データ記録装置の一部）
２８      誤差増幅器（光学式データ再生装置又は光学式データ記録装置の一部）
３１      ２分割センサ（分割光センサ）
３２      加算器（和信号生成手段、第１の回路の一部）
３３      減算器（差信号生成手段、第２の回路）
３４      ２値化器（識別信号生成手段の一部、第１の回路の一部）
３５      スペース側コンパレータ（スペース側情報信号抽出手段の一部、第３の回路の一部）
３６      マーク側コンパレータ（マーク側情報信号抽出手段の一部、第３の回路の一部）
３７      スライスレベル設定部（スペース側情報信号抽出手段又はマーク側情報信号抽出手段の一部、第３の回路の一部）
３８      ＡＮＤ回路（スペース側情報信号抽出手段の一部、第３の回路の一部）
３９      反転回路（識別信号生成手段の一部）
４０      ＡＮＤ回路（マーク側情報信号抽出手段の一部）
４１      ＯＲ回路（動作制御信号出力手段）
【図１】
2005267808.tif 000003
【図２】
2005267808.tif 000004
【図３】
2005267808.tif 000005
【図４】
2005267808.tif 000006
【図５】
2005267808.tif 000007
【図６】
2005267808.tif 000008
【図７】
2005267808.tif 000009
【図８】
2005267808.tif 000010